(57)【要約】ティッシュ容器（７０）は、ティッシュ収容筐体と、ティッシュを取り出すための開閉可能開口（２８）と、ティッシュと関連して使用する調剤品を収容するための付属補助室（５２）とを備える。
2006506280.tif 000002
【特許請求の範囲】
【請求項１】
ティッシュ収容筐体と、ティッシュを取り出すための開閉可能開口と、前記ティッシュに関連して使用する調剤品を収容するために付属させた補助室とを備える、ティッシュ容器。
【請求項２】
前記補助室は、前記容器に取り付けるか、前記容器と一体にするか、前記容器内に遊合する、請求項１に基づくティッシュ容器。
【請求項３】
前記ティッシュ収容筐体は、複数の湿ったティッシュを収容し、前記開口は、１度に１枚のティッシュを取り出すためのディスペンサを有する、請求項１に基づくティッシュ容器。
【請求項４】
前記補助室は、前記ディスペンサと一体であるか、前記ディスペンサに取り付ける、請求項３に基づくティッシュ容器。
【請求項５】
前記ディスペンサは、開閉可能第１蓋を取り付けたティッシュ取り出し開口と、開閉可能補助室とを備える、請求項４に基づくティッシュ容器。
【請求項６】
前記補助室は、開閉可能第２蓋を備える、請求項５に基づくティッシュ容器。
【請求項７】
前記第２蓋は、前記第１蓋に蝶番結合する、請求項６に基づくティッシュ容器。
【請求項８】
前記第１蓋および前記第２蓋は、平行して延びる蝶番を介して前記ディスペンサに蝶番結合する、請求項６に基づくティッシュ容器。
【請求項９】
前記第１蓋と前記第２蓋とは、前記ディスペンサの近接対向する縁部に蝶番結合する、請求項８に基づくティッシュ容器。
【請求項１０】
前記補助室は、前記第１蓋内に形成し、再密閉可能薄片によって開閉可能である、請求項５に基づくティッシュ容器。
【請求項１１】
前記補助室は、前記第１蓋内に形成し、取り外し可能カバーによって開閉可能である、請求項５に基づくティッシュ容器。
【請求項１２】
前記補助室は、前記第１蓋の内面に形成する、請求項１１に基づくティッシュ容器。
【請求項１３】
前記補助室は、前記第１蓋の外面に形成する、請求項１１に基づくティッシュ容器。
【請求項１４】
ティッシュ取り出し開口と前記補助室を構成する収容器とで形成したティッシュディスペンサと、前記取り出し開口と前記補助室とを閉じるための開閉可能第１蓋とをさらに備える、請求項１に基づくティッシュ容器。
【請求項１５】
前記補助室は、密閉開閉可能第２蓋を有する、請求項１４に基づくティッシュ容器。
【請求項１６】
前記ティッシュ取り出し開口と前記補助室とは同軸である、請求項１４に基づくティッシュ容器。
【請求項１７】
前記補助室は環状溝である、請求項１４に基づくティッシュ容器。
【請求項１８】
前記容器は、円筒形であり、前記ティッシュ取り出し開口と前記補助室とに対して同軸の長手軸を有する、請求項１４に基づくティッシュ容器。
【請求項１９】
前記第１蓋と第２蓋の一方または両方は、ずらすことによって跳ね上げ開口する、請求項６に基づくティッシュ容器。
【請求項２０】
前記第１蓋と第２蓋の一方または両方は、スナップ型開閉機構を有する、請求項６に基づくティッシュ容器。
【請求項２１】
前記ティッシュ取り出し開口と前記補助室の一方または両方は、薄片によってあらかじめ密封する、請求項５に基づくティッシュ容器。
【請求項２２】
前記補助室は、前記ティッシュ容器の底部に１以上の収容器を取り付けるか形成して成る、請求項１に基づくティッシュ容器。
【請求項２３】
前記補助室は、当該補助室の周縁に接着可能な薄片によって再密閉可能である、請求項１に基づくティッシュ容器。
【請求項２４】
前記補助室はいくつかの収容器からなり、各収容器は個別に開閉可能である、請求項１に基づくティッシュ容器。
【請求項２５】
前記補助室は、指ですくうことが可能な断面を有する、請求項１に基づくティッシュ容器。
【請求項２６】
前記補助室は、前記容器のティッシュ収容筐体内に取り出し可能に収納する、請求項１に基づくティッシュ容器。
【請求項２７】
前記容器は柔軟性容器である、請求項１に基づくティッシュ容器。
【請求項２８】
前記容器は剛性容器である、請求項１に基づくティッシュ容器。
【請求項２９】
前記容器は携帯可能である、請求項１に基づくティッシュ容器。
【請求項３０】
ティッシュ取り出し開口と、補助室を構成する収容器と、前記取り出し開口を開閉する開閉可能第１蓋とを備える、ティッシュ容器用取り出しカバー。
【請求項３１】
前記補助室は、密閉開閉可能第２蓋を有する、請求項３０に基づく取り出しカバー。
【請求項３２】
前記ティッシュ取り出し開口と補助室の長手軸は、前記ティッシュ容器の長手軸と同軸である、請求項３０に基づく取り出しカバー。
【請求項３３】
前記第１蓋と第２蓋の一方または両方は、ずらすことによって跳ね上げ開口する、請求項３１に基づく取り出しカバー。
【請求項３４】
前記第１蓋と第２蓋の一方または両方は、スナップ型開閉機構を有する、請求項３１に基づく取り出しカバー。
【請求項３５】
前記ティッシュ取り出し開口と前記補助室の一方または両方は、薄片によってあらかじめ密封する、請求項３１に基づく取り出しカバー。
【請求項３６】
前記補助室は、当該補助室の周縁に接着可能な薄片によって再密閉可能である、請求項３１に基づく取り出しカバー。
【請求項３７】
前記補助室はいくつかの収容器からなり、各収容器は個別に開閉可能である、請求項３１に基づく取り出しカバー。
【請求項３８】
前記補助室は、指ですくうことが可能な断面を有する、請求項３１に基づく取り出しカバー。
【請求項３９】
ティッシュに関連して使用する調剤品を収容し、補助室としてティッシュ容器に含めるか取り付ける、小室。
【請求項４０】
前記補助室は、前記容器に取り付けたティッシュディスペンサと一体である、請求項３９に基づく小室。
【請求項４１】
前記補助室は、前記容器の外面に付着する、請求項３９に基づく小室。
【請求項４２】
前記補助室は、前記容器のティッシュ収容筐体内に収納可能である、請求項３９に基づく小室。
【請求項４３】
ティッシュ容器の底部に取り外し可能に結合する基部を備える、請求項３９に基づく小室。
【請求項４４】
前記基部は、円筒形ティッシュ容器の基部に結合する、請求項４３に基づく小室。
【発明の詳細な説明】
【技術分野】
【０００１】
本発明は、ティッシュ容器と、当該容器からティッシュ、ペーパタオル等を取り出すためのディスペンサとに関する。さらに詳しくは、関連する調剤品を簡単に使用可能とするティッシュ容器およびディスペンサに関する。
【０００２】
背景技術
乾いたタイプあるいは湿ったタイプのティッシュ（例えば、フェイシャルティッシュ、トイレットティッシュなどのティッシュ、紙タオル、パッド、包帯等）を使用する際、調剤品およびその調剤品を都合良く利用できる手段があると便利なことが多い。例えば、赤ん坊のおむつを交換する時、新しいおむつを当てる前に赤ん坊にローションやクリームを塗りたい場合がある。そのローションが汚れ落としである場合、ティッシュを使う前にローションを使うこともある。
【０００３】
本明細書および請求項における用語「調剤品」は、最も広義に使用し、軟膏、オイル、膏薬、保湿剤、抗菌剤、消毒用アルコール、香水、洗剤等の液体または局所剤、あるいは衛生、医療、化粧、清浄、表面処理等に使用する粉末材料を意味する。
【０００４】
現在、チューブあるいは瓶等の容器に軟膏を入れ、ティッシュとは別に持ち歩く必要がある。使用に際しては、軟膏を探し、１以上の品を手に持つ状況に対処しなければならない。これは、人前で赤ん坊のおむつを交換するような状況において極めて問題である。多くの品を持ち歩き、置き、使用するため、忘れたり置き忘れる可能性がある。
【０００５】
調剤品およびティッシュが一体にあるいは相補的にパッケージされていれば、全体の行動はより快適になる。例えばおむつ交換の場所に軟膏チューブを置き忘れる可能性を予防できる。調剤品容器を忘れる可能性も防止できる。
【０００６】
米国特許第６，４５７，４３４号、第６，１７０，４２６号、第５，５０９，５９３号等の従来技術は、様々なタイプのティッシュディスペンサを開示している。これらは補助的な小室、容器、箱等を含むが、乾いたティッシュを湿らせたり、湿ったティッシュ用および乾いたティッシュ用の小室を提供したりするよう設計しているに過ぎない。これらの補助室は、ティッシュ使用前または使用後に塗布するローションを収容するのには適していない。
【０００７】
米国特許第５，４３９，１０４号は、区画した容器を含むメガネレンズ洗浄器を開示する。この容器は、レンズ洗浄液の供給瓶と、使い捨て清掃ティッシュの供給箱とを収容する。
【０００８】
本発明の目的は、補助室を取り付けたあるいは一体にしたティッシュ容器を提供することである。この補助室は、ティッシュに関連して使用する調剤品を収容する。
【０００９】
発明の概要
本発明が提供するティッシュ容器は、ティッシュ収容筐体と、ティッシュを取り出すための開閉可能開口と、前記容器に付属させた補助室とを備える。この補助室は、前記ティッシュに関連して使用する調剤品を収容する。前記補助室は、前記容器に取り付けるかあるいは一体にする。ティッシュ容器内に遊合しても良い。
【００１０】
一実施例において提供するディスペンサは、開閉可能第１蓋と開閉可能補助室とを有するティッシュ取り出し開口を備える。
【００１１】
本発明の他の態様は、ティッシュ容器と共に使用するティッシュディスペンサを提供する。このディスペンサは、ティッシュ取り出し開口と、補助室を形成する収容器と、前記取り出し開口を開閉する開閉蓋とを備える。一実施例において、前記補助室は開閉可能である。
【００１２】
本発明のさらに他の態様は、ティッシュに関連して使用する調剤品を備えた小室を提供する。この小室は、ティッシュ容器に含めるかティッシュ容器に取り付ける補助室である。
【００１３】
実施形態の詳細な説明
図１Ａ〜図１Ｄに示すティッシュ取り出しカバー２０は、ティッシュ容器（図示せず）と共に使用する。カバー２０は、様々なティッシュ容器と共に使用可能である。例えば、柔軟性容器や剛性容器と共に使用可能である。このカバーは、ティッシュ取り出し開口を有する。この開口は、通常の広い開口でも良く、公知のティッシュ分離手段を設けて１度に１枚のティッシュを取り出せるようにしても良い。
【００１４】
カバー２０は、容器（図示せず）と一体かそれに取り付けた基部２４を備える。基部２４の取り付けは、例えば接着剤、溶接、あるいはスナップ型アタッチメントによって行う。前記カバーのティッシュ取り出し開口は、前記容器に形成した対応する開口の反対側に延びる。
【００１５】
カバー２０は、ティッシュ取り出し開口２８（図１Ｄ）を備える。一般にこの開口は、最初の使用まで密封しておく（図１Ｂおよび図１Ｃ）。これは例えば取り外し可能薄片、あるいはプラスチック材の破壊可能または破断可能フィルム３０（図１Ｂおよび図１Ｃ）によって行う。このシールは、ティッシュ容器内の湿気を保持すると共に、不正開封防止の役割を果たす。
【００１６】
前記カバーは、第１蓋４０を備える。第１蓋４０は、一体の蝶番により４２において基部２４に結合し、閉位置（図１Ａ）と開位置（図１Ｃ）との間で変位する。第１蓋４０は、ティッシュ取り出し開口２８を密閉し、水分の蒸発を防止する。一実施例において、第１蓋４０は、ずらすことによって開位置に跳ね上がる。これは例えば、一体のバネ構成またはシリコンバネ等によって実現する。前記第１蓋は、スナップ型のラッチ構成４８によって閉位置（図１Ａ）に保持する。
【００１７】
第１蓋４０内には補助室５２がある。補助室５２は第２蓋５４によって密閉できる。第２蓋５４は、第１蓋４０に蝶番結合する。また、第１蓋にスナップ結合する。これは横方向に突き出たラッチ５８によって実現する。このラッチ５８は、第１蓋４０に形成した対応する凹部とスナップ結合する。
【００１８】
補助室５２は、異なる種類の調剤品を収容する。例えば赤ん坊の尻に塗布する鎮痛剤や軟膏、スキンクリーム、清浄剤等を収容する。前記補助室のサイズおよびその密閉手段は、補助室内に収容する調剤品の性質等によって決定する。
【００１９】
ティッシュ容器から乾燥したあるいは湿ったティッシュを取り出す場合、ラッチ４８を押して第１蓋４０を開ける。ティッシュは容易に取り出せる。その後、第１蓋を閉じる。次に、補助室に収容した調剤品を使用する必要がある場合、例えば赤ん坊の尻に鎮痛クリームを塗布する場合、第２蓋５４を開け、補助室５２への進入を可能にする。
【００２０】
図２Ａおよび図２Ｂは、本発明の他の実施例に基づくティッシュ容器７０を示す。ティッシュ容器７０は、剛性円筒形容器である。この容器内において、ティッシュは、公知の通り、ティッシュ間に分離目打ちを有して巻いてある。容器７０は、取り出しカバー７２を有する。取り出しカバー７２は、取り出しスリット７４（図２Ｂ）を有する。取り出しスリット７４はＸ形であり、ティッシュから余分な水分を抜き出すと共に、先頭のティッシュを容器から取り出せるよう各ティッシュの分離を確実にする。
【００２１】
本発明に基づき、カバー７２は環状溝７８を有する。環状溝７８は補助室を形成し、共通蓋８２によって密閉する。共通蓋８２は、前記ティッシュ取り出し開口と補助室７８とを密閉する。
【００２２】
図２Ｂに示す通り、補助室７８はＵ形の断面を有し、補助室７８に収容した軟膏等を指先によって簡単にすくえる。また、軟膏を最後まで使用でき、補助室内に調剤品を無駄に残さない。
【００２３】
蓋８２は、カバー７２を密閉し、補助室内に収容した調剤品の漏れを防止すると共に、容器７０内の水分の蒸発を防止する。
【００２４】
図３Ａおよび図３Ｂに示す実施例は、円筒形ティッシュ容器８８であり、ロール状の湿ったティッシュを収容する。このティッシュは、取り出しカバー９２から取り出す。取り出しカバー９２は、取り出し開口９４に取り付ける。取り出し開口９４は、公知の通り蓋９８（図３Ｂ）によって密閉可能である。
【００２５】
容器８８の反対側（実際には容器の底部）には、補助室１００を取り付ける。補助室１００は、容器８８の底部に形成した凹部であり、調剤品を収容し、例えば薄片１０４等の開閉蓋によって密閉可能である。薄片１０４は、再密閉用の接着周囲部によって底部の周囲部１０６に取り付ける。この部分は、図３Ａに点線で示す。使い勝手を良くするため、薄片１０４にはタブ１０８を取り付ける。
【００２６】
変更形態（図示せず）において、前記補助室は、アドオンタイプとし、容器の底部に取り付けても良い。この取り付けは、スナップ結合、接着等で実現できる。さらに他の実施例（図示せず）において、前記補助室は、ティッシュ容器が空になったら取り外し、新しいティッシュ容器に取り付け可能としても良い。
【００２７】
図４は、本発明のさらに他の実施例に基づくティッシュ容器１２０を示す。この容器も円筒形である。この容器は、ティッシュ取り出しカバー１２２を有する。ティッシュ取り出しカバー１２２は、ティッシュ取り出し開口１２４を有する。この開口は、ティッシュ取り出し蓋１２６によって密閉可能である。蓋１２６の上部には、補助室１２８を形成する。補助室１２８は、第２蓋１３０によって密閉可能である。第２蓋１３０は、例えば密閉可能薄片またはスナップ型カバーである。本発明において、ティッシュ取り出し蓋１２６は、一体の蝶番１３１によってカバー１２２に取り付ける。
【００２８】
図５Aおよび図５Bに示す実施例は、ティッシュ容器１４８である。この容器は、柔軟性容器であり、剛性取り出しカバー１５０を備える。カバー１５０は、蓋１５２を有する。蓋１５２は、図５Aにおいて開いており、図５Bにおいて閉じている。
【００２９】
前記容器の取り出し開口は、取り出しカバー１５０の取り出し開口と整列し、取り外し可能薄片１５６（図５Bには図示せず）によって密封している。薄片１５６は再密封可能である。取り出し開口１５８には、前記したような分離手段（図示せず）を設けても良い。これは、当業者に知られている通り、１度に１枚のティッシュを分離するための便宜を提供する。
【００３０】
蓋１５２は、取り出しカバー１５０に対し１６４において一体に蝶番結合し、引き上げタブ１６６を有する。蓋１５２は、ラッチ１７０に対してスナップ結合する。ラッチ１７０は、取り出し開口１５８内に突き出る。
【００３１】
蓋１５２は、補助室１７４を有する。補助室１７４は、蓋の内面から延び、例えば接着薄片１７６によって、あるいは蝶番結合した開閉蓋または取り外し可能開閉蓋（図示せず）によって密閉できる。補助室１７４は、図５Ａおよび図５Ｂに示すように、矩形断面を有することができる。あるいは補助室１７４は、いくつかの副補助室（図示せず）に分割できる。この場合、各副補助室は、個別に密閉可能あるいは再密閉可能とする。
【００３２】
１以上の補助室を提供する場合、異なる調剤品を収容できる。例えば異なるタイプの調剤品、薬剤、清浄剤等を収容できる。
【００３３】
図６は、図５Ａおよび図５Ｂに示した実施例と同様の実施例を示す。この実施例の取り出しカバー１７７は、補助室１７８を有する。補助室１７８は、複数の凹部１７９を有し、凹部の各々が副補助室を形成する。各副補助室は、薄片１８０によって密閉可能である。これら副補助室は、１回の使用に適した量の調剤品を収容できるようなサイズとしても良い。この場合の薄片は、取り外し可能シールで良い。補助室に収容した調剤品の量が１回の使用以上であるなら、薄片は再密閉可能とする。
【００３４】
図７は、さらに別の実施例を示す。この実施例の取り出しカバー１８１は、基本的に図５Ａに示したものと似ている。異なる点は、第１蓋１８４に形成した補助室１８２が第２蓋１８６または再密閉可能薄片を備えることである。また補助室１８２は、調剤品を収容するのに適している。
【００３５】
図８Ａおよび図８Ｂはさらに別の実施例を示す。この実施例において、取り出しカバー１９４は、図５および図６に示した一般タイプである。一方、ティッシュ取り出し蓋１９８は、密閉可能に取り出し開口２０１（図８Ａ）を開閉可能である。ティッシュ取り出し蓋１９８の外面には、補助室２０２を形成する。補助室２０２は、再密閉可能薄片２０６によって密閉可能である。再密閉可能薄片ではなく、蓋１９８に取り付けるかそれと一体の開閉蓋でも良い。
【００３６】
さらに他のいくつかの実施例として、均一な補助室ではなく、例えば図９に示すように補助室を分割しても良い。複数の副補助室２１２Ａ〜２１２Ｅは、各々が対応する薄片部２１４Ａ〜２１４Ｅによって個別に密閉できる。副補助室２１２Ａ〜２１２Ｅは、Ｕ形状の断面を有し、容易に調剤品をすくい出せるようにしても良い。
【００３７】
図面を参照していくつかの実施例を説明し図示したが、当業者には明らかな通り、本発明の範囲から逸脱することなく、本発明には様々な変更が可能である。
【図面の簡単な説明】
【００３８】
【図１Ａ−１Ｄ】本発明の一実施例に基づく取り出しカバーを示す図である。
【図１Ａ】前記取り出しカバーの閉じた状態を示す等角図である。
【図１Ｂ】ティッシュ取り出し蓋を部分的に開けた状態を示す一部断面等角図である。
【図１Ｃ】第１蓋を開状態にした取り出しカバーを示す等角図である。
【図１Ｄ】第１蓋を閉状態にし第２蓋を開状態にした等角図である。
【図２Ａ】本発明の一実施例に基づく円筒形ティッシュ容器とそれに取り付けた取り出しカバーとを示す斜視図である。
【図２Ｂ】図２ＡのＩＩ−ＩＩ線に沿った縦断面図である。
【図３Ａ】本発明の他の実施例に基づく円筒形ティッシュ容器を示す等角図である。
【図３Ｂ】図３ＡのＩＩＩ−ＩＩＩ線に沿った縦断面図である。
【図４Ａ】本発明のさらに他の実施例に基づく円筒形ティッシュ容器の上部を示し、蓋を部分的に開けた状態を示す等角図である。
【図４Ｂ】図４Ａに示した容器の上部であって同一の蓋位置を示す断面図である。
【図５Ａ】本発明の一実施例に基づく取り出しカバーを取り付けた柔軟性ティッシュ容器を示し、取り出し蓋を開けた状態を示す等角図である。
【図５Ｂ】図５Ａの容器の上部を示し、前記蓋を閉めた状態を示す断面図である。
【図６】図５Ａに示した実施例の変更形態に基づく取り出しカバーの開状態を示す等角図である。
【図７】本発明の一実施例に基づく取り出しカバーを示す等角図である。
【図８Ａ】本発明の他の実施例に基づく、ティッシュ容器と共に使用する取り出しカバーを示す等角上面図である。
【図８Ｂ】図８ＡのＶＩＩＩ−ＶＩＩＩ線に沿った断面図である。
【図９】図８Ａの取り出しカバーの他の変更形態を示す上面図である。
2006506280.tif 000003
2006506280.tif 000004
2006506280.tif 000005
2006506280.tif 000006
2006506280.tif 000007
2006506280.tif 000008
【図６】
2006506280.tif 000009
【図７】
2006506280.tif 000010
2006506280.tif 000011
【図９】
2006506280.tif 000012
【手続補正書】
【提出日】平成17年2月13日(2005.2.13)
【手続補正１】
【補正対象書類名】特許請求の範囲
【補正対象項目名】全文
【補正方法】変更
【補正の内容】
【特許請求の範囲】
【請求項１】
（ａ）ティッシュ取り出し用第１開口を有し、ティッシュ容器に取り付ける基部と、
（ｂ）前記基部に蝶番結合し、前記第１開口に対して閉位置と開位置との間を変位可能な第１蓋と、
（ｃ）ティッシュに関連して使用する調剤品を収容するための少なくとも１つの補助室とを備え、前記少なくとも１つの補助室は、少なくとも前記第１蓋が開位置にある時に開閉可能な第２開口を有する、ティッシュ容器と共に使用するカバー。
【請求項２】
前記補助室あるいは前記各補助室は、前記カバーと一体であるかそれに取り付ける、請求項１に基づくカバー。
【請求項３】
前記補助室あるいは前記各補助室は、前記第１蓋に形成する、請求項１に基づくカバー。
【請求項４】
前記補助室あるいは前記各補助室は、前記第１蓋の外面に形成する、請求項３に基づくカバー。
【請求項５】
前記補助室あるいは前記各補助室は、前記第１蓋の内面に形成する、請求項３に基づくカバー。
【請求項６】
前記補助室あるいは前記各補助室は、再密閉可能可動薄片、プラスチック材料の破壊可能フィルム、プラスチック材料の破断可能フィルム、または取り外し可能カバーのいずれかによって開閉可能である、請求項４または５のいずれかに基づくカバー。
【請求項７】
前記補助室あるいは前記各補助室は、第２蓋によって密閉開閉可能である、請求項４または５のいずれかに基づくカバー。
【請求項８】
前記補助室あるいは前記各補助室は、前記第１蓋内に形成し、前記第２蓋は前記第１蓋に蝶番結合する、請求項７に基づくカバー。
【請求項９】
前記第１蓋および前記第２蓋は、平行して延びる蝶番を介して前記ディスペンサに蝶番結合する、請求項７に基づくカバー。
【請求項１０】
前記第１蓋と前記第２蓋とは、前記カバーの近接対向する縁部に蝶番結合する、請求項９に基づくカバー。
【請求項１１】
前記補助室は、前記第１開口の周囲に環状溝として形成する、請求項１に基づくカバー。
【請求項１２】
前記第１蓋と第２蓋の一方または両方は、ずらすことによって跳ね上げ開口する、請求項７に基づくカバー。
【請求項１３】
前記第１蓋と第２蓋の一方または両方は、スナップ型開閉機構を有する、請求項７に基づくカバー。
【請求項１４】
前記カバーは、収容器の形状をした複数の前記補助室を備え、各収容器は個別に開閉可能である、請求項１に基づくカバー。
【請求項１５】
前記補助室あるいは前記各補助室は、指ですくうことが可能な断面を有する、請求項１に基づくカバー。
【請求項１６】
前記カバーは実質的に円筒形である、請求項１に基づくカバー。
【請求項１７】
前記第２開口は、前記第１蓋が閉位置にある時、開閉可能である、請求項１に基づくカバー。
【請求項１８】
前記少なくとも１つの補助室は、適切な調剤品を備える、請求項１に基づくカバー。
【請求項１９】
前記調剤品は、軟膏、オイル、膏薬、保湿剤、抗菌剤、消毒用アルコール、香水、洗剤等の液体または局所剤、あるいは衛生、医療、化粧、清浄、表面処理等に使用する粉末材料等のいずれかである、請求項１８に基づくカバー。
【請求項２０】
前記補助室は、前記第１開口および第１蓋のいずれかに付属する、請求項１に基づくカバー。
【請求項２１】
ティッシュ収容筐体と、ティッシュを取り出すためのティッシュ取り出し用第１開口と、請求項１から請求項２０のいずれかに記載のカバーとを備え、前記第１開口は前記第１蓋によって開閉可能である、ティッシュ容器。
【請求項２２】
（ｉ）ティッシュ収容筐体と、ティッシュを取り出すためのティッシュ取り出し用第１開口と、前記第１開口を開閉する第１蓋と、
（ｉｉ）前記第１開口と前記第１蓋との一方に付属する少なくとも１つの補助室とを備え、
（ｉｉｉ）前記補助室は、ティッシュに関連して使用する調剤品を収容する、ティッシュ容器。
【請求項２３】
前記調剤品を利用するための開閉可能第２開口をさらに備える、請求項２２に基づくティッシュ容器。
【請求項２４】
前記補助室あるいは前記各補助室は、前記容器と一体であるかそれに取り付ける、請求項１に基づくカバー。
【請求項２５】
前記補助室あるいは前記各補助室は、前記第１蓋内に形成する、請求項２２に基づくティッシュ容器。
【請求項２６】
前記第１蓋は、基部に蝶番結合し、前記第１開口に対して閉位置と開位置との間を変位可能である、請求項２５に基づくティッシュ容器。
【請求項２７】
前記補助室あるいは前記各補助室は、前記第１蓋の外面に形成する、請求項２６に基づくティッシュ容器。
【請求項２８】
前記補助室あるいは前記各補助室は、前記第１蓋の内面に形成する、請求項２６に基づくティッシュ容器。
【請求項２９】
前記補助室あるいは前記各補助室は、再密閉可能可動薄片、プラスチック材料の破壊可能フィルム、プラスチック材料の破断可能フィルム、または取り外し可能カバーのいずれかによって開閉可能である、請求項２７または２８のいずれかに基づくティッシュ容器。
【請求項３０】
前記補助室あるいは前記各補助室は、第２蓋によって密閉開閉可能である、請求項２７または２８のいずれかに基づくカバー。
【請求項３１】
前記補助室あるいは前記各補助室は、前記第１蓋内に形成し、前記第２蓋は前記第１蓋に蝶番結合する、請求項３０に基づくティッシュ容器。
【請求項３２】
前記第１蓋および前記第２蓋は、平行して延びる蝶番を介して前記ディスペンサに蝶番結合する、請求項３１に基づくティッシュ容器。
【請求項３３】
前記第１蓋と前記第２蓋とは、前記カバーの近接対向する縁部に蝶番結合する、請求項３２に基づくティッシュ容器。
【請求項３４】
前記補助室は、前記第１開口の周囲に環状溝として形成する、請求項２２に基づくティッシュ容器。
【請求項３５】
前記第１蓋と第２蓋の一方または両方は、ずらすことによって跳ね上げ開口する、請求項３０に基づくティッシュ容器。
【請求項３６】
前記第１蓋と第２蓋の一方または両方は、スナップ型開閉機構を有する、請求項３０に基づくティッシュ容器。
【請求項３７】
前記補助室は、当該補助室の周縁に接着可能な薄片によって再密閉可能である、請求項２２に基づくティッシュ容器。
【請求項３８】
前記容器は収容器の形状をした複数の前記補助室を備え、各収容器は個別に開閉可能である、請求項２２に基づくティッシュ容器。
【請求項３９】
前記補助室あるいは前記各補助室は、指ですくうことが可能な断面を有する、請求項２２に基づくティッシュ容器。
【請求項４０】
前記第２開口は、少なくとも前記第１蓋が開位置にあるとき、開閉可能である、請求項２２に基づくティッシュ容器。
【請求項４１】
前記第２開口は、前記第１蓋が閉位置にある時、開閉可能である、請求項２２に基づくティッシュ容器。
【請求項４２】
前記調剤品は、軟膏、オイル、膏薬、保湿剤、抗菌剤、消毒用アルコール、香水、洗剤等の液体または局所剤、あるいは衛生、医療、化粧、清浄、表面処理等  に使用する粉末材料等のいずれかである、請求項２２に基づくティッシュ容器。
【請求項４３】
前記ティッシュ収容筐体は複数の湿ったティッシュを収容し、前記開口は１度に１枚のティッシュを取り出すためのディスペンサを有する、請求項２２に基づくティッシュ容器。
【請求項４４】
ティッシュ取り出し開口を形成したカバーと、前記補助室あるいは前記各補助室を構成する少なくとも１つの収容器と、前記取り出し開口と前記補助室を開閉する開閉可能第１蓋とをさらに備える、請求項２２に基づくティッシュ容器。
【請求項４５】
前記容器は円筒形であり、前記ティッシュ取り出し開口と前記補助室とに対して同軸の長手軸を有する、請求項２２に基づくカバー。
【請求項４６】
前記ティッシュ取り出し開口と前記補助室とは同軸である、請求項４５に基づくティッシュ容器。
【請求項４７】
前記補助室は、前記容器のティッシュ収容筐体内に取り外し可能に収納する、請求項２２に基づくティッシュ容器。
【請求項４８】
前記容器は柔軟性容器である、請求項２２に基づくティッシュ容器。
【請求項４９】
前記容器は剛性である、請求項２２に基づくティッシュ容器。
【請求項５０】
前記容器は携帯可能である、請求項２２に基づくティッシュ容器。
【国際調査報告】
2006506280.tif 000013
2006506280.tif 000014
2006506280.tif 000015